(57)【要約】      （修正有）【課題】  目立ち易く、大勢の人が集るパーティー会場などで、自分の使用していたカップ（グラス）が席を離れた時でも容易に識別できる様にするパーティーの際に好適な識別用具を提供する。【解決手段】  グラスＧｒの所望部位に簡単に装着できる着脱自在の識別用具であって、識別用具はグラスＧｒの外周面に吸着可能な吸盤１ａからなる装着部１と、目印となる表示部４と、から構成されることを特徴とする。【選択図】図３
2006284742.tif 000002
【特許請求の範囲】
【請求項１】
グラスの上端開口周縁部の所望位置に掛止可能な着脱自在の掛止部と、該掛止部の下方に連設して蛍光物質、再帰反射物質、蓄光物質のいずれかを施した動植物・幾何学模様の形状から成る表示部を設けたことを特徴とする識別用具。
【請求項２】
グラスの所望部位に簡単に装着できる着脱自在の識別用具であって、該用具はグラスの外周面に吸着可能な吸盤からなる装着部と、目印となる表示部と、から構成されることを特徴とする識別用具。
【請求項３】
前記表示部は、着脱自在の磁気吸着部材と、該磁気吸着部材に連設し且つ発光ダイオードを配する動植物・幾何学模様の形状体と、から構成されることを特徴とする請求項２記載の識別用具。
【請求項４】
前記吸盤からなる装着部と目印となる表示部との間に磁気吸着部材を介して好みの挟持片を取り付け取り外し自在に挟持可能な構成としたことを特徴とする請求項２記載の識別用具。
【発明の詳細な説明】
【技術分野】
【０００１】
本発明は、パーティーなどで使用されるグラスの識別用具に関する。
【背景技術】
【０００２】
多数の人達が集るパーティーで使用されるグラスは、使用していた人が他事でその場所を離れた時に、元のグラスを識別できない場合が生じた際には、新たなグラスを供給するのが通例である。
【０００３】
グラスの数が増えて煩雑となるのを防止するためや、他人が間違ってグラスを使用した場合の衛生的な面を考慮して、以下のような提案が知られる。即ち、
（１）グラス識別用標識として、「グラス上端開口周縁に着脱可能な取付け部と、当該取付け部の上部側に連設された標識部とからなるグラス識別用標識であって、標識部は採色の施された、または模様の付された、あるいは採色が施されると共に模様の付されている板状体、球状体、棒状体、又は、動植物の形状をした立体物であることを特徴とする。」という提案が開示されている（例えば、特許文献１参照。）。
【０００４】
また、（２）パーティー用コップをはじめとする各自の食器用目印用具として、「コップに各自の目印を組合せることによって、それぞれを識別する。その目印とは、コップに貼るラベル状、コップに巻くリング状、コップにはかせるスカート状、コップを包むナプキン状、コップに取付けるクリップ状、皿などに置く置物状のものであり、識別方法として、目印の材質、色、形、模様、図形、記号、文字、数字などを用いる。また、初対面の人のためのネームプレートと併用し、相乗効果を得る。」という提案が開示されている（例えば、特許文献２参照。）。
【特許文献１】実用新案登録第３０６６３６６号公報
【特許文献２】実用新案登録第３０２６９８３号公報
【発明の開示】
【発明が解決しようとする課題】
【０００５】
しかしながら上述の従来例、（１）では、グラスの上端開口周縁にクリップからなる挟持部を用いて種々の標識を取付け可能としたものであり、また（２）では、目印となる材質、色、形、模様、図形、記号、文字などをクリップしたり、貼付したり、コップにはかせたり、包んだり、などのとめ方であり、目立ち易さの点で上述の両者とも、課題が残る。
【０００６】
本発明は、上述の点に着目して成されたもので、大勢の人が集るパーティー会場などで、自分の使用していたカップ（グラス）が席を離れた時でも容易に識別できる様にするパーティーの際に、目立ち易く好適な識別用具を提供することを目的とする。
【課題を解決するための手段】
【０００７】
本発明は、下記構成を備えることにより上記課題を解決できるものである。
【０００８】
（１）グラスの上端開口周縁部の所望位置に掛止可能な着脱自在の掛止部と、該掛止部の下方に連設して蛍光物質、再帰反射物質、蓄光物質のいずれかを施した動植物・幾何学模様の形状から成る表示部を設けた識別用具。
【０００９】
（２）グラスの所望部位に簡単に装着できる着脱自在の識別用具であって、該識別用具はグラスの外周面に吸着可能な吸盤からなる装着部と、目印となる表示部と、から構成される識別用具。
【００１０】
（３）前記表示部は、着脱自在の磁気吸着部材と、該磁気吸着部材に連設し且つ発光ダイオードを配する動植物・幾何学模様の形状体と、から構成される前項（２）記載の識別用具。
【００１１】
（４）前記吸盤からなる装着部と目印となる表示部との間に磁気吸着部材を介して好みの挟持片を取り付け取り外し自在に挟持可能な構成とした前項（２）記載の識別用具。
【発明の効果】
【００１２】
本発明によれば、大勢の人が集るパーティー会場などで、自分の使用していたカップ（グラス）が席を離れた時でも容易に識別できる様にするパーティーの際に、目立ち易く好適な識別用具を提供することが出来る。
【発明を実施するための最良の形態】
【００１３】
以下に図面を参照して本発明に係る識別用具の実施の形態を説明する。
【００１４】
図１は、本発明に係る実施例１における識別用具の要部構成を示す説明図、（ａ）は実施例１に係る識別用具の構成例を示す斜視図（その１）、（ｂ）は実施例１に係る識別用具の構成例を示す斜視図（その２）、（ｃ）は実施例１に係る識別用具の構成例を示す斜視図（その３）、（ｄ）は実施例１に係る識別用具の構成例及び使用状態を示す斜視図、図２は、本発明に係る実施例２における識別用具の要部構成を示す説明図、（ａ）は側断面図、（ｂ）は正面図、図３は、実施例２における識別用具を用いて好みの挟持片をグラスに装着した状態の一例を示す斜視図、図４は、挟持片を取付け取り外す様子の一例を示す側断面説明図、図５は、実施例２の変形としての表示部と装着部を一体に形成した一例を示す説明図、（ａ）は一部破断側面図、（ｂ）は正面図、図６は、表示部の各種形状体の例を示す説明図、（ａ）は植物（花、葉）、（ｂ）は幾何学模様、（ｃ）は動物の顔の一例である。
【実施例１】
【００１５】
実施例１は、人が大勢集るパーティー会場で用いられるグラスＧｒの上端開口周縁部の所望位置に掛止可能な着脱自在の掛止部１０と、この掛止部１０の下方に連設して蛍光物質、再帰反射物質、蓄光物質のいずれかを施した表示部１１を設けた構成の場合である。
【００１６】
図１は、識別用具の実施例１の各種形状の例を示した説明図であり、（ａ）は鉤形腕部の先端に逆Ｕ字形の掛止部と蛍光物質を施した表示部を下方に連設した構成の識別用具の例を示す斜視図、（ｂ）は掛止部と表示部を一体に形成した例を示す斜視図、（ｃ）は掛止部にバネ機能を付加した例を示す斜視図、（ｄ）は掛止部の下方に生物（図は魚の形の一例）をかたどった表示部を連設した場合のグラスに掛止した状態の一例を示す斜視図である。
【００１７】
上述のように掛止部１０は種々の形状が考えられ、且つ光を照射して発光する蛍光物質、例えば道路標識などに用いられる再帰反射物質、或いは受けた光を蓄えられる蓄光物質などを施した動植物・幾何学模様の形状から成る表示部１１についても種々の形状が挙げられ、図示した、これらの形状に限らず、広く採用することが出来る。
【実施例２】
【００１８】
人が大勢集るパーティー会場で用いられるグラスＧｒの所望部位に簡単に装着できる着脱自在の識別用具であって、該識別用具はグラスＧｒの外周面に吸着可能な吸盤１ａからなる装着部１と、目印となる表示部５と、から構成されている。
【００１９】
この表示部５は、着脱自在の磁気吸着部材Ｍｇと、この磁気吸着部材Ｍｇに連設し且つ発光ダイオード５を配する動植物・幾何学模様の形状体と、から構成される。
【００２０】
吸盤１ａからなる装着部１と目印となる表示部４との間に磁気吸着部材Ｍｇを介して好みの挟持片６、例えば、名刺やメモなどを取り付け取り外し自在に挟持可能な構成としてある。
【００２１】
図２において、吸盤１ａからなる装着部１には、凹部１ｂが設けられ、例えば、磁石２をこの凹部１ｂの円筒形状に係合して嵌着せしめ、表示部４に添着した磁性体３を介して着脱自在であり、表示部４には発光ダイオード（ＬＥＤ）５が１乃至２以上複数個、所望位置に配置される。磁性体３は、例えば、筐体を形成し、この筐体内には電源となる電池収容部３ａと発光プログラムを格納した制御回路部３ｂが配され、例えば、電池収容部３ａを左右に回すことで電源のＯＮ／ＯＦＦ切り替えができるように構成されている。
【００２２】
尚、磁石２を装着部１側の凹部１ｂに嵌着した状態について説明したが、磁性体３に係合する凹部を設けて、磁石２と磁性体３を入れ替えて装着部１側に磁性体３を、表示部４側に磁石２を設ける構成とし、組合せを逆にしても構わない。
【００２３】
図３は、本発明に係る識別用具を用いて好みの挟持片をグラスに装着した状態の一例を示す斜視図である。
【００２４】
大き過ぎない手頃の大きさの吸盤１ａを用い、グラス（コップ）の外周面の適当な位置に押し付けることで、装着部１を装着し、図３及び図４に示すように、名刺やメモなどの好みの挟持片６を磁気吸着部材Ｍｇの磁石２と磁性体３との間に介在、挟持して保持することが出来る。他の符号について、７はグラスＧｒの把手である。
【００２５】
吸盤１ａには、吸盤１ａを離脱する時に使用する摘み部１ｃが設けられている。
【００２６】
図６は、表示部の動植物・幾何学模様の形状体の例として、動物、植物、幾何学模様の一例を示してある。これらには、発光ダイオード（ＬＥＤ）を配した例を図示してあるが、ＬＥＤを設けるか、設けないかは自由であり、実施例１の場合でも適合することは勿論である。
【００２７】
上述の構成に基いて作用を説明する。
【００２８】
パーティーなどの大勢集る会場で、自分のグラスＧｒの上端開口周縁部の所望位置に掛止可能な着脱自在の掛止部１０と、この掛止部１０の下方に連設して蛍光物質、再帰反射物質、蓄光物質のいずれかを施した表示部１１を設けた構成の識別用具としたことで、表示部１１に蛍光物質を用いていれば、照明の光に影響されて蛍光色を発光し、種々の形状と併せて周囲に目立ち、席を外した場合でも、元の席と自分のグラスＧｒを容易に識別できる。
【００２９】
また、自分のグラスＧｒの外周面の所望部位に装着部１の吸盤１ａを押圧して取り付け、磁気吸着部材Ｍｇが添着された表示部４を吸盤１ａの凹部１ｂに嵌着された磁石２に、例えば、動植物・幾何学模様の形状体の中から、望みの形状体のものを適宜選んで磁性体３を取付けると磁器吸着作用により、確固に保持される。この時、磁性体３の電池収容部３ａを右に回すと、電源ＯＮとなり、予め設定されたプログラムに従って発光ダイオード（ＬＥＤ）が点滅し、各種設定された色彩が華やかに演出される。更に磁性体３と磁石２の間に、名刺やメモなどの挟持片６を挟んで保持できるので、席を外してもはっきりと自分のグラスであることや、自分の意志を伝えるメッセージを第三者に示すことが出来る。表示部４にＬＥＤを配したことで、周囲に華やかに目立ち、表現力は非常に際だったものとなる。
【００３０】
しかも、装着部１に吸盤１ａを用いたことで、容易に装着、離脱が可能であって、使い易さは抜群である。
【００３１】
（その他の実施例）
図５は、実施例２の変形例である。装着部１と表示部４を一体に形成した一例であり、吸盤１ａの凹部１ｂに係合する凸部４ａを凹部１ｂに嵌着・合体した場合である。合体方法は貼着剤を用いて添着してもよく、その方法は自由である。
【００３２】
また、表示部４を形成する形状体を色彩を施した樹脂系材料や金属製とすることができ、材料を限定するものではない。
【００３３】
尚更に、説明を加えれば、実施例２の識別用具の場合は、使用者の口や唇が接触するグラス（コップ）の上端開口周縁部に用具を触れることがないので、衛生面でも問題なく優れものである。
【図面の簡単な説明】
【００３４】
【図１】本発明に係る実施例１における識別用具の要部構成を示す説明図、（ａ）は実施例１に係る識別用具の構成例を示す斜視図（その１）、（ｂ）は実施例１に係る識別用具の構成例を示す斜視図（その２）、（ｃ）は実施例１に係る識別用具の構成例を示す斜視図（その３）、（ｄ）は実施例１に係る識別用具の構成例及び使用状態を示す斜視図
【図２】本発明に係る実施例２における識別用具の要部構成を示す説明図、（ａ）は側断面図、（ｂ）は正面図
【図３】実施例２における識別用具を用いて好みの挟持片をグラスに装着した状態の一例を示す斜視図
【図４】挟持片を取付け取り外す様子の一例を示す側断面説明図
【図５】実施例２の変形例としての表示部と装着部を一体に形成した一例を示す説明図、（ａ）一部破断側面図、（ｂ）正面図
【図６】表示部の各種形状体の例を示す説明図、（ａ）植物（花、葉）、（ｂ）幾何学模様、（ｃ）動物の顔の一例
【符号の説明】
【００３５】
１    装着部
１ａ  吸盤
２    磁石
３    磁性体
３ａ  電池収容部
３ｂ  制御回路部
４、１１  表示部
５    発光ダイオード（ＬＥＤ）
６    挟持片
７    把手
１０  掛止部
Ｍｇ  磁気吸着部材
Ｇｒ  グラス（コップ）
【図１】
2006284742.tif 000003
【図２】
2006284742.tif 000004
【図３】
2006284742.tif 000005
【図４】
2006284742.tif 000006
【図５】
2006284742.tif 000007
【図６】
2006284742.tif 000008